(57)【特許請求の範囲】
【請求項１】
光を透過するトッププレートと、
誘導磁界を発生させて、前記トッププレート上に載置された被加熱物を加熱する、少なくとも第１の加熱コイルと、第２の加熱コイルとを含む複数の加熱コイルと、
前記複数の加熱コイルに高周波電流を供給するインバータ回路と、
前記インバータ回路の出力を制御する加熱制御部と、
発光して、被加熱物の載置場所を示す発光部と、
前記発光部の発光を制御する発光制御部と、
前記第１の加熱コイル及び前記第２の加熱コイルの上方に同一の被加熱物が載置されているか否かを判断する被加熱物載置判断部と、を備え、
前記第２の加熱コイルは、前記被加熱物を加熱しない領域を挟んで前記第１の加熱コイルに隣接し、
前記被加熱物載置判断部は、
前記第１の加熱コイルの上方に被加熱物が載置されているか否かを判断する第１の被加熱物載置判断部と、
前記第２の加熱コイルの上方に被加熱物が載置されているか否かを判断する第２の被加熱物載置判断部と、
前記第１の加熱コイルと前記第２の加熱コイルの間の前記被加熱物を加熱しない領域の上方に被加熱物が載置されているか否かを判断する第３の被加熱物載置判断部と、を含み、
前記第１の被加熱物載置判断部、前記第２の被加熱物載置判断部、及び前記第３の被加熱物載置判断部のすべてが被加熱物が載置されていると判断した場合は、前記第１の加熱コイル及び前記第２の加熱コイルの上方に同一の被加熱物が載置されているとみなし、
前記被加熱物載置判断部が前記第１の加熱コイル及び前記第２の加熱コイルの上方に同一の被加熱物が載置されているとみなしたときに、
前記加熱制御部は、第１の加熱コイルと第２の加熱コイルを連動して動作させ、
前記発光制御部は、使用者に該動作を認識させるように前記発光部を点灯させることを特徴とする誘導加熱調理器。
【請求項２】
前記第１の被加熱物載置判断部、前記第２の被加熱物載置判断部、前記第３の被加熱物載置判断部はそれぞれ、光検出部を含み、前記光検出部が外乱光を検出した場合は、被加熱物が載置されていないとみなし、前記光検出部が外乱光を検出しない場合は、被加熱物が載置されているとみなすことを特徴とする請求項１に記載の誘導加熱調理器。
【請求項３】
前記第１の被加熱物載置判断部、前記第２の被加熱物載置判断部、前記第３の被加熱物載置判断部はそれぞれ、温度検出部を含み、前記温度検出部が検出した温度に基づいて所定期間内の温度上昇を求め、所定期間内に温度が上昇した場合は、被加熱物が載置されているとみなし、所定期間内に温度が上昇していない場合は、被加熱物が載置されていないとみなすことを特徴とする請求項１に記載の誘導加熱調理器。
【請求項４】
前記被加熱物載置判断部が前記第１の加熱コイル及び前記第２の加熱コイルの上方に同
一の被加熱物が載置されているとみなしたときに、前記発光制御部は、前記第１の加熱コイルの外周近傍、前記第２の加熱コイルの外周近傍、及び該２つの外周近傍を結んだ直線上の領域を点灯させることを特徴とする請求項１乃至３のいずれか１つに記載の誘導加熱調理器。
【請求項５】
前記被加熱物載置判断部が前記第１の加熱コイル及び前記第２の加熱コイルの上方に同一の被加熱物が載置されているとみなしたときに、前記発光制御部は、前記第１の加熱コイルの外周近傍であって、前記第２の加熱コイルから遠い側の半円、及び前記第２の加熱コイルの外周近傍であって、前記第１の加熱コイルから遠い側の半円を点灯させることを特徴とする請求項１乃至３のいずれか１つに記載の誘導加熱調理器。
【請求項６】
前記被加熱物載置判断部が前記第１の加熱コイル及び前記第２の加熱コイルの上方に同一の被加熱物が載置されているとみなしたときに、前記発光制御部は、前記第１の加熱コイルの外周近傍であって、前記第２の加熱コイルから遠い側の半円、前記第２の加熱コイルの外周近傍であって、前記第１の加熱コイルから遠い側の半円、及び２つの加熱コイルの外周近傍を結んだ直線上の領域を点灯させることを特徴とする請求項１乃至３のいずれか１つに記載の誘導加熱調理器。
【請求項７】
前記被加熱物載置判断部が前記第１の加熱コイル及び前記第２の加熱コイルの上方に同一の被加熱物が載置されているとみなしたときに、前記発光制御部は、前記第１の加熱コイルの外周近傍、及び前記第２の加熱コイルの外周近傍を点灯させることを特徴とする請求項１乃至３のいずれか１つに記載の誘導加熱調理器。
【請求項８】
前記被加熱物載置判断部が前記第１の加熱コイル及び前記第２の加熱コイルの上方に同一の被加熱物が載置されているとみなしたときに、前記発光制御部は、前記第１の加熱コイル及び前記第２の加熱コイルによる加熱領域を内部に含む領域の外周部を点灯させることを特徴とする請求項１乃至３のいずれか１つに記載の誘導加熱調理器。
【発明の詳細な説明】
【技術分野】
【０００１】
本発明は、トッププレート上に被加熱物を載置する場所を表示した誘導加熱調理器に関する。
【背景技術】
【０００２】
鍋などの被加熱物を加熱コイルにより誘導加熱する誘導加熱調理器は、安全・清潔・高効率という優れた特徴が認知されて、近年広く普及している。特許文献１には、トッププレートの下方に、光源と光源の光を導光する導光体とを含む線状発光体を備えた誘導加熱調理器が開示されている。これにより、トッププレート上に鮮明な円状の図形を表示することができるので、被加熱物を載置する場所（加熱部）や加熱中か否かを明確に表示することができる。
【０００３】
【特許文献１】特許第３９４１８１２号公報
【発明の開示】
【発明が解決しようとする課題】
【０００４】
特許文献１に記載の誘導加熱調理器では、例えば鍋底径が大きな１つのオーバル鍋（楕円鍋）を２つの加熱コイル上に載置して加熱した場合、一方の加熱コイルの外周近傍に１つの円状の図形を表示するだけである。したがって、使用者は１つの加熱コイルで加熱しているのか、複数の加熱コイルで加熱しているのかを認識できないという問題があった。また、鍋底が大きい被加熱物を載置すると、その被加熱物で発光部が隠れてしまい、使用者は加熱しているのかすら認識できないという問題があった。
【０００５】
本発明は、前記課題を解決するもので、複数の加熱コイルを連動して動作させて１つの被加熱物を加熱することができ、その場合、使用者に該動作を認識させることができる誘導加熱調理器を提供することを目的とする。また、鍋底が大きい被加熱物を載置しても、使用者に該動作を認識させることができる誘導加熱調理器を提供することを目的とする。
【課題を解決するための手段】
【０００６】
本発明に係る誘導加熱調理器は、光を透過するトッププレートと、誘導磁界を発生させて、トッププレート上に載置された被加熱物を加熱する、少なくとも第１の加熱コイルと、第２の加熱コイルとを含む複数の加熱コイルと、複数の加熱コイルに高周波電流を供給するインバータ回路と、インバータ回路の出力を制御する加熱制御部と、発光して、被加熱物の載置場所を示す発光部と、発光部の発光を制御する発光制御部と、第１の加熱コイル及び第２の加熱コイルの上方に同一の被加熱物が載置されているか否かを判断する被加熱物載置判断部と、を備え、第２の加熱コイルは、被加熱物を加熱しない領域を挟んで第１の加熱コイルに隣接し、被加熱物載置判断部が第１の加熱コイル及び第２の加熱コイルの上方に同一の被加熱物が載置されているとみなしたときに、加熱制御部は、第１の加熱コイルと第２の加熱コイルを連動して動作させ、発光制御部は、使用者に該動作を認識させるように発光部を点灯させることを特徴とする。
【０００７】
被加熱物載置判断部は、第１の加熱コイルの上方に被加熱物が載置されているか否かを判断する第１の被加熱物載置判断部と、第２の加熱コイルの上方に被加熱物が載置されているか否かを判断する第２の被加熱物載置判断部と、第１の加熱コイルと第２の加熱コイルの間の前記被加熱物を加熱しない領域の上方に被加熱物が載置されているか否かを判断する第３の被加熱物載置判断部と、を含み、第１の被加熱物載置判断部、第２の被加熱物載置判断部、及び第３の被加熱物載置判断部のすべてが被加熱物が載置されていると判断した場合は、第１の加熱コイル及び第２の加熱コイルの上方に同一の被加熱物が載置されているとみなしてもよい。
【０００８】
第１の被加熱物載置判断部、第２の被加熱物載置判断部、第３の被加熱物載置判断部はそれぞれ、光検出部を含み、光検出部が外乱光を検出した場合は、被加熱物が載置されていないとみなし、光検出部が外乱光を検出しない場合は、被加熱物が載置されているとみなしてもよい。
【０００９】
第１の被加熱物載置判断部、第２の被加熱物載置判断部、第３の被加熱物載置判断部はそれぞれ、温度検出部を含み、温度検出部が検出した温度に基づいて所定期間内の温度上昇を求め、所定期間内に温度が上昇した場合は、被加熱物が載置されているとみなし、所定期間内に温度が上昇していない場合は、被加熱物が載置されていないとみなしてもよい。
【００１０】
被加熱物載置判断部は、第１の加熱コイルの上方に載置された被加熱物の材質を判定する第１の材質判定部と、第２の加熱コイルの上方に載置された被加熱物の材質を判定する第２の材質判定部と、を含み、第１の材質判定部によって判定された材質と、第２の材質判定部によって判定された材質が同じ場合は、第１の加熱コイル及び第２の加熱コイルの上方に同一の被加熱物が載置されているとみなしてもよい。
【００１１】
被加熱物載置判断部が第１の加熱コイル及び第２の加熱コイルの上方に同一の被加熱物が載置されているとみなしたときに、発光制御部は、第１の加熱コイルの外周近傍、第２の加熱コイルの外周近傍、及び該２つの外周近傍を結んだ直線上の領域を点灯させてもよい。
【００１２】
被加熱物載置判断部が第１の加熱コイル及び第２の加熱コイルの上方に同一の被加熱物が載置されているとみなしたときに、発光制御部は、第１の加熱コイルの外周近傍であって、第２の加熱コイルから遠い側の半円、及び第２の加熱コイルの外周近傍であって、第１の加熱コイルから遠い側の半円を点灯させてもよい。
【００１３】
被加熱物載置判断部が第１の加熱コイル及び第２の加熱コイルの上方に同一の被加熱物が載置されているとみなしたときに、発光制御部は、第１の加熱コイルの外周近傍であって、第２の加熱コイルから遠い側の半円、第２の加熱コイルの外周近傍であって、第１の加熱コイルから遠い側の半円、及び２つの加熱コイルの外周近傍を結んだ直線上の領域を点灯させてもよい。
【００１４】
被加熱物載置判断部が第１の加熱コイル及び第２の加熱コイルの上方に同一の被加熱物が載置されているとみなしたときに、発光制御部は、第１の加熱コイルの外周近傍、及び第２の加熱コイルの外周近傍を点灯させてもよい。
【００１５】
被加熱物載置判断部が第１の加熱コイル及び第２の加熱コイルの上方に同一の被加熱物が載置されているとみなしたときに、発光制御部は、第１の加熱コイル及び第２の加熱コイルによる加熱領域を内部に含む領域の外周部を点灯させてもよい。
【発明の効果】
【００１６】
本発明の誘導加熱調理器は、複数の加熱コイルの上方に同一の被加熱物が載置されている場合に、複数の加熱コイルを連動して動作させて１つの被加熱物を加熱することができ、その場合、使用者に該動作を認識させるように発光部を点灯させる。これにより、使用者は１つの加熱コイルで加熱しているのか、複数の加熱コイルで加熱しているのかを視覚的に認識することができる。また、連動して動作させる場合に点灯する発光部を、加熱コイルの外周より外側に設けることにより、鍋底が大きい被加熱物が載置されても、発光部が隠れないため、使用者は同様に認識することができる。
【発明を実施するための最良の形態】
【００１７】
以下に、本発明の実施形態について、図面を参照しながら説明する。なお、以下の各実施形態において、同じ構成要素については同じ番号を付している。
【００１８】
実施形態１
［誘導加熱調理器の構成］
図１に、本発明の実施形態１による誘導加熱調理器の上面図を示す。本実施形態の誘導加熱調理器の上部に光を透過する結晶化セラミック製のトッププレート１を設け、トッププレート１上に、被加熱物を載置して加熱する、第１の加熱部２、第２の加熱部３、及び第３の加熱部４を設ける。各加熱部の領域は、トッププレート１の上面又は下面に印刷により表示されている。図１においては示していないが、トッププレート１の下方であって、第１〜第３の加熱部２〜４それぞれに対応する位置に加熱コイルを設ける。これらの複数の加熱コイルは同心上に配置されていない。トッププレート１の下方であって、第１の加熱部２の外周近傍に第１の発光部５と、第２の加熱部３の外周近傍に第２の発光部６と、第３の加熱部４の外周近傍に第３の発光部７と、第１の加熱部２の外周近傍と第２の加熱部３の外周近傍を結んだ直線上の領域に第４の発光部８とを設ける。
【００１９】
トッププレートの下方に、第１〜第３の被加熱物載置判断部９，１０，１１を設ける。第１の被加熱物載置判断部９は、第１の加熱コイル２の上方に被加熱物が載置されているか否かを判断する。第２の被加熱物載置判断部１０は、第２の加熱コイル３の上方に被加熱物が載置されているか否かを判断する。第３の被加熱物載置判断部１１は、第１の加熱コイル３と第２の加熱コイル４の間の領域の上方に被加熱物が載置されているか否かを判断する。本実施形態においては、第１〜第３の被加熱物載置判断部９〜１１はそれぞれ、光検出部を含む。第１〜第３の被加熱物載置判断部９〜１１は、光検出部が外乱光を検出した場合は、被加熱物が載置されていないと判断し、光検出部が外乱光を検出しない場合は、被加熱物が載置されていると判断する。
【００２０】
トッププレート２の手前側（使用者側）に操作部１２と、反対側に吸気口１３及び排気口１４と、を設ける。操作部１２は、第１の加熱部２の加熱のオン／オフや火力調整を行う第１の操作部１２ａと、第２の加熱部３の加熱のオン／オフや火力調整を行う第２の操作部１２ｂと、第３の加熱部４の加熱のオン／オフや火力調整を行う第３の操作部１２ｃと、を含む。
【００２１】
図２に、本発明の実施形態１による誘導加熱調理器の構成を示す。図１では３つの加熱部２，３，４を図示したが、図２では説明の便宜上２つの加熱部２，３を図示する。本実施形態の誘導加熱調理器は、トッププレート１と、トッププレート上に操作部１２と、を備える。トッププレート１の下方に、第１の加熱部２に対応する位置に第１の加熱コイル１５と、第２の加熱部３に対応する位置に第２の加熱コイル１６と、を設ける。第１及び第２の加熱コイル１５，１６は、同心上に配置されていない。第１及び第２の加熱コイル１５，１６は、誘導磁界を発生させて、トッププレート１上に載置された被加熱物１７を加熱する。
【００２２】
第１の加熱コイル１５の上方に第１の被加熱物載置判断部９と、第２の加熱コイル１６の上方に第２の被加熱物載置判断部１０と、第１及び第２の加熱コイル１５，１６の間の領域の上方に第３の被加熱物載置判断部１１と、を設ける。第１の加熱コイル１５の外周近傍に第１の発光部５と、第２の加熱コイル１６の外周近傍に第２の発光部６と、第１及び第２の加熱コイル１５，１６の間の領域に第４の発光部８とを配置する。さらに、本実施形態の誘導加熱調理器は、第１及び第２の加熱コイルの下方に、第１の加熱コイル１５に高周波電流を供給する第１のインバータ回路１８と、第２の加熱コイル１６に高周波電流を供給する第２のインバータ回路１９と、誘導加熱調理器全体の制御を行う制御部２０を備える。制御部２０は、操作部１２からの入力に基づいて、第１及び第２の加熱コイル１５，１６に供給する高周波電流を制御するために第１及び第２のインバータ回路１８，１９に制御信号を出力する加熱制御部２０ａと、操作部１２からの入力に基づいて、発光部５，６，８を発光させる発光制御部２０ｂと、を含む。
【００２３】
図３に、発光部の構成を示す。図３（ａ）は円状の第１〜第３の発光部５，６，７であり、図３（ｂ）は直線状の第４の発光部８である。発光部５〜８は、光源２１と、光源２１から発光された光を導光する導光体２２と、を含む。光源２１は、例えば発光ダイオードである。
【００２４】
［誘導加熱調理器の動作］
図４に、本発明の実施形態１の誘導加熱調理器による発光部の動作制御のフローチャートを示す。使用者により第１の操作部１２ａから第１の加熱部２の加熱がオンされると（Ｓ１０１でＹｅｓ）、第１の被加熱物載置判断部９は第１の加熱部２に被加熱物が載置されているか否かを判断する（Ｓ１０２）。第１の被加熱物載置判断部９が第１の加熱部２に被加熱物が載置されていないと判断すると（Ｓ１０２でＮｏ）、発光制御部２０ｂは第１の発光部５を所定期間発光させた後、消灯させる（Ｓ１０３）。加熱制御部２０ａは第１の加熱コイル１５に高周波電流を供給しない。
【００２５】
一方、第１の被加熱物載置判断部９が第１の加熱部２に被加熱物が載置されていると判断すると（Ｓ１０２でＹｅｓ）、次に、第２の被加熱物載置判断部１０は第２の加熱部３に被加熱物が載置されているか否かを判断する（Ｓ１０４）。第２の被加熱物載置判断部１０が第２の加熱部３に被加熱物が載置されていないと判断したときは（Ｓ１０４でＮｏ）、第１の加熱コイル１５の上方にのみ１つの被加熱物が載置されていると判断する。加熱制御部２０ａは第１の加熱コイル１５にのみ高周波電流を供給する（Ｓ１０６）。発光制御部２０ｂは、図５（ａ）に示すように第１の発光部５を発光させる（Ｓ１０７）。図５において、点灯部分を太い実線で示し、消灯部分を破線で示す。
【００２６】
一方、第２の被加熱物載置判断部１０が第２の加熱部３に被加熱物が載置されていると判断すると（Ｓ１０４でＹｅｓ）、さらに、第３の被加熱物載置判断部１１は第１の加熱部２と第２の加熱部３の間の領域に被加熱物が載置されているか否かを判断する（Ｓ１０５）。第３の被加熱物載置判断部１１が第１の加熱部２と第２の加熱部３の間の領域に被加熱物が載置されていないと判断したときは（Ｓ１０５でＮｏ）、第１の加熱コイル１５の上方に載置されている被加熱物と、第２の加熱コイル１６の上方に載置されている被加熱物とは別物であると判断する。加熱制御部２０ａは第１の加熱コイル１５にのみ高周波電流を供給する（Ｓ１０６）。発光制御部２０ｂは、図５（ａ）に示すように第１の発光部５を発光させる（Ｓ１０７）。
【００２７】
一方、ステップＳ１０５で第３の被加熱物載置判断部１１が第１の加熱部２と第２の加熱部３の間の領域に被加熱物が載置されていると判断したときは（Ｓ１０５でＹｅｓ）、第１の加熱コイル１５及び第２の加熱コイル１６の上方に同一の大きな被加熱物が載置されていると判断し、加熱制御部２０ａは第１の加熱コイル１５及び第２の加熱コイル１６に高周波電流を供給し、２つの加熱コイル１５，１６を連動して動作させる（Ｓ１０９）。発光制御部２０ｂは、図５（ｂ）に示すように第１の発光部５、第２の発光部６、第４の発光部８を発光させる（Ｓ１０８）。これにより、使用者は、第１の加熱コイル１５と第２の加熱コイル１６を連動して動作させているように見える。
【００２８】
本実施形態の誘導加熱調理器は、第１の加熱コイルの上方、第２の加熱コイルの上方、及び第１の加熱コイル及び第２の加熱コイルの間の領域の上方に被加熱物が載置されている場合には、第１の加熱コイル及び第２の加熱コイルの上方に同一の被加熱物が載置されていると判断し、第１の加熱コイルと第２の加熱コイルを連動して動作させ、使用者に該動作を認識させるように発光部を点灯させる。これにより、使用者は１つの加熱コイルで加熱しているのか、複数の加熱コイルで加熱しているのかを視覚的に認識することができる。
【００２９】
なお、本実施形態においては、第１〜第３の被加熱物載置判断部９〜１１はそれぞれ、光検出部を含むが、これに代えて、温度検出部を含んでもよい。この場合、第１〜第３の被加熱物載置判断部９〜１１は、温度検出部が検出した温度に基づいて所定期間内の温度上昇を求め、所定期間内に温度が上昇した場合は、被加熱物が載置されていると判断し、所定期間内に温度が上昇していない場合は、被加熱物が載置されていると判断する。
【００３０】
［変形例１］
なお、図６（ａ）に示すように、発光部を配置してもよい。第１の発光部５の発光領域を２つに分けて、第１の半円発光部５ａと第２の半円発光部５ｂとし、第２の発光部６の発光領域も２つに分けて、第３の半円発光部６ａと第４の半円発光部６ｂとする。この場合、図４のステップＳ１０７では図６（ｂ）に示すように、発光制御部２０ｂは第１の半円発光部５ａ及び第２の半円発光部５ｂを点灯させる。ステップＳ１０９では図６（ｃ）に示すように第２の加熱コイル１６から遠い側の第１の半円発光部５ａ及び第１の加熱コイル１５から遠い側の第４の半円発光部６ｂを点灯させる。図６（ｂ）、図６（ｃ）において、点灯部分を太い実線で示し、消灯部分を破線で示す。以下図７，９，１０においても同様である。
【００３１】
［変形例２］
また、図７（ａ）に示すように、発光部を配置してもよい。この場合、図４のステップＳ１０７では図７（ｂ）に示すように、発光制御部２０ｂは第１の半円発光部５ａ及び第２の半円発光部５ｂを点灯させる。ステップＳ１０９では図７（ｃ）に示すように第２の加熱コイル１６から遠い側の第１の半円発光部５ａ、第１の加熱コイル１５から遠い側の第４の半円発光部６ｂ、及び第４の発光部８を点灯させる。
【００３２】
図８に、半円発光部の構成を示す。発光部５ａ，５ｂ，６ａ，６ｂは、光源２１と、光源２１から発光された光を導光する導光体２２と、を含む。光源２１は、例えば発光ダイオードである。
【００３３】
［変形例３］
また、図９（ａ）に示すように、発光部を配置してもよい。この場合、図４のステップＳ１０７では図９（ｂ）に示すように、発光制御部２０ｂは第１の発光部５を点灯させる。ステップＳ１０９では図９（ｃ）に示すように第１の発光部５及び第２の発光部６を点灯させる。
【００３４】
［変形例４］
また、図１０（ａ）に示すように、発光部を配置してもよい。第４の四角発光部８ａは、第１の加熱コイル（１５）及び第２の加熱コイル（１６）による加熱領域を内部に含む領域の外周部に配置されている。この場合、図４のステップＳ１０７では図１０（ｂ）に示すように、発光制御部２０ｂは第１の発光部５を点灯させる。ステップＳ１０９では図１０（ｃ）に示すように第１の発光部５、第２の発光部６、及び第４の四角発光部８ａを点灯させる。これにより、大きな被加熱物が載置されても、発光部分が被加熱物により隠れてしまい見えなくなる可能性が低くなる。
【００３５】
実施形態２
［誘導加熱調理器の構成］
本実施形態では、材質判定部を用いて、第１の加熱コイル１５及び第２の加熱コイル１６の上方に同一の被加熱物が載置されているか否かを判断する誘導加熱調理器について説明する。一般に、被加熱物の材質が異なると、加熱コイルを制御するインバータ回路への入力電流の特性が異なることが知られている。そこで、本実施形態では、インバータ回路への入力電流に基づき被加熱物の材質を判定し、その判定結果に基づき、第１及び第２の加熱コイル１５，１６の上方に同一の被加熱物が載置されているか否かを判断する。本実施形態による誘導加熱調理器の構成において、図１及び図３は実施形態１と同じであるため説明を省略する。
【００３６】
図１１に、本発明の実施形態１による誘導加熱調理器の構成を示す。図１では３つの加熱部２，３，４を図示したが、図１１では説明の便宜上２つの加熱部２，３を図示する。第１のインバータ回路１８は電源スイッチ２３がオンのとき電源２４から電力を供給される。同様に、第２のインバータ回路１９は電源スイッチ２５がオンのとき電源２６から電力を供給される。本実施形態の誘導加熱調理器は、第１〜第３の被加熱物載置判断部９〜１１の代わりに、第１及び第２のインバータ回路１８，１９への入力電流を検知する第１及び第２の入力電流検知部２７，２８と、第１及び第２の入力電流検知部２７，２８によって検知された入力電流及び第１及び第２のインバータ回路１８，１９から入力された加熱コイルに流れる電流に基づき、被加熱物の材質を判定する第１及び第２の材質判定部２９，３０と、を備える。本実施形態による誘導加熱調理器の構成は、上述したもの以外は実施形態１のものと同じであるため説明を省略する。なお、コイル電流とインバータ回路の入力電流とに基づき被加熱物の材質を判定することとしたが、これ以外にも、コイル電圧とインバータ回路の入力電流とに基づき被加熱物の材質を判定するようにしてもよい。
【００３７】
［誘導加熱調理器の動作］
図１２に、本発明の実施形態２の誘導加熱調理器による発光部の動作制御のフローチャートを示す。使用者により第１の操作部１２ａから第１の加熱部２の加熱がオンされると（Ｓ２０１でＹｅｓ）、第１の材質判定部２９が第１の加熱コイル１５の上方に載置されている被加熱物の材質Ａを判定する（Ｓ２０２）。次に、第２の材質判定部３０が第１の加熱コイル１６の上方に載置されている被加熱物の材質Ｂを判定する（Ｓ２０３）。制御部２０は、第１の材質判定部２９により判定された材質Ａと、第２の材質判定部３０により判定された材質Ｂが同じか否かを判断する（Ｓ２０４）。制御部２０は、材質Ａと材質Ｂが同じ場合には、第１の加熱コイル１５及び第２の加熱コイル１６の上方に同一の大きな被加熱物が載置されていると判断する。一方、制御部２０は、材質Ａと材質Ｂが異なる場合には、第１の加熱コイル１５と第２の加熱コイル１６の上方には別々の被加熱物が載置されていると判断する。制御部２０が材質Ａと材質Ｂが異なると判断すると（Ｓ２０４でＮｏ）、第１の加熱コイル１５の上方に載置されている被加熱物と、第２の加熱コイル１６の上方に載置されている被加熱物とは別物であると判断する。加熱制御部２０ａは第１の加熱コイル１５に高周波電流を供給する（Ｓ２０７）。発光制御部２０ｂは、図５（ａ）に示すように第１の発光部５を発光させる（Ｓ２０８）。
【００３８】
一方、制御部２０が材質Ａと材質Ｂが同じと判断すると（Ｓ２０４でＹｅｓ）、加熱制御部２０ａは第１の加熱コイル１５及び第２の加熱コイル１６に高周波電流を供給し、２つの加熱コイル１５，１６を連動して動作させる（Ｓ２０５）。発光制御部２０ｂは、図５（ｂ）に示すように第１の発光部５、第２の発光部６、第４の発光部８を発光させる（Ｓ２０６）。これにより、使用者は、第１の加熱コイル１５と第２の加熱コイル１６を連動して動作させているように見える。
【００３９】
本実施形態の誘導加熱調理器は、第１の加熱コイルの上方に載置されている被加熱物の材質と、第１の加熱コイルの上方に載置されている被加熱物の材質とが同じ場合には、第１の加熱コイル及び第２の加熱コイルの上方に同一の被加熱物が載置されていると判断し、第１の加熱コイルと第２の加熱コイルを連動して動作させ、使用者に該動作を認識させるように発光部を点灯させる。これにより、使用者は１つの加熱コイルで加熱しているのか、複数の加熱コイルで加熱しているのかを視覚的に認識することができる。
【００４０】
また、本実施形態の誘導加熱調理器は、第１、第２の被加熱物載置判断部９、１０の代わりに、第１及び第２のインバータ回路１８，１９への入力電流を検知する第１及び第２の入力電流検知部２７，２８と、第１及び第２の入力電流検知部２７，２８によって検知された入力電流及び第１及び第２のインバータ回路１８，１９から入力された加熱コイルに流れる電流に基づき、被加熱物の材質を判定する第１及び第２の材質判定部２９，３０とを備える構成とし、さらに、第３の被加熱物載置判断部１１として、光検出部や、温度検出部を備える構成としてもよい。
【００４１】
そして、Ｓ２０４で、制御部２０が材質Ａと材質Ｂが同じと判断した後、第３の被加熱物載置判断部が、第１の加熱コイル１５と第２の加熱コイル１６の間の領域の上方に被加熱物が載置されていると判断した場合にはＳ２０５に進むようにし、Ｓ２０４で、制御部２０が材質Ａと材質Ｂが同じと判断した後、第３の被加熱物載置判断部が、第１の加熱コイル１５と第２の加熱コイル１６の間の領域の上方に被加熱物が載置されていないと判断した場合にはＳ２０７に進むようにしてもよい。
【００４２】
なお、本実施形態においても、実施形態１の変形例１〜変形例４と同様に発光部を配置して点灯させてもよい。
【産業上の利用可能性】
【００４３】
本発明による誘導加熱調理器は、使用者が１つの加熱コイルで加熱しているのか、複数の加熱コイルで加熱しているのかを視覚的に認識することができるという効果を有し、一般家庭などで使用される誘導加熱調理器に有用である。
【図面の簡単な説明】
【００４４】
【図１】本発明の実施形態１による誘導加熱調理器の上面図
【図２】本発明の実施形態１による誘導加熱調理器の構成図
【図３】本発明の実施形態１による誘導加熱調理器の発光部の構成図
【図４】本発明の実施形態１の誘導加熱調理器による発光部の動作制御のフローチャート
【図５】本発明の実施形態１による誘導加熱調理器の発光部の点灯例を示す図
【図６】本発明の実施形態１の変形例１による誘導加熱調理器の発光部の配置と点灯例を示す図
【図７】本発明の実施形態１の変形例２による誘導加熱調理器の発光部の配置と点灯例を示す図
【図８】本発明の実施形態１の変形例１，２による誘導加熱調理器の発光部の構成図
【図９】本発明の実施形態１の変形例３による誘導加熱調理器の発光部の配置と点灯例を示す図
【図１０】本発明の実施形態１の変形例４による誘導加熱調理器の発光部の配置と点灯例を示す図
【図１１】本発明の実施形態２による誘導加熱調理器の構成図
【図１２】本発明の実施形態２の誘導加熱調理器による発光部の動作制御のフローチャート
【符号の説明】
【００４５】
１        トッププレート
２〜４    加熱部
５，５ａ，５ｂ，６，６ａ，６ｂ，７，８，８ａ    発光部
９        第１の被加熱物載置判断部
１０        第２の被加熱物載置判断部
１１        第３の被加熱物載置判断部
１２        操作部
１３        吸気口
１４        排気口
１５        第１の加熱コイル
１６        第２の加熱コイル
１７        被加熱物
１８        第１のインバータ回路
１９        第２のインバータ回路
２０        制御部
２０ａ      加熱制御部
２０ｂ      発光制御部
２１        光源
２２        導光体
２３，２５  電源スイッチ
２４，２６  電源
２７        第１の入力電流検知部
２８        第２の入力電流検知部
２９        第１の材質判定部
３０        第２の材質判定部
【図１】
0005188215.tif 000002
【図２】
0005188215.tif 000003
【図３】
0005188215.tif 000004
【図４】
0005188215.tif 000005
【図５】
0005188215.tif 000006
【図６】
0005188215.tif 000007
【図７】
0005188215.tif 000008
【図８】
0005188215.tif 000009
【図９】
0005188215.tif 000010
【図１０】
0005188215.tif 000011
【図１１】
0005188215.tif 000012
【図１２】
0005188215.tif 000013